(57)【要約】保護方法及び高速アーク消去機能を備えた保護回路は、依然として必要である。この保護回路の他の特徴は、再接続されたランプを再始動させるためのリセット機能とすべきである。この保護回路はまた、安定器が、ランプ無しの状態で誤ってオン状態となった場合に必要とされる。
2004504708.tif 000002
【特許請求の範囲】
【請求項１】
ＤＣ／ＡＣインバータと、
安定器出力ランプコネクタと、
該ＤＣ／ＡＣインバータに電気的に接続されている入力側を有する低域通過信号フィルタと、
該低域通過信号フィルタに電気的に接続された整流器と、
低域通過信号フィルタの整流された出力を受信するために電気的に接続されたエネルギー蓄積素子と、
該エネルギー蓄積素子と、電子安定器回路の動作不可能端子とに電気的に接続された切換装置と、を有するアーク検出を備えたランプ用電子安定器回路であって、
前記電子安定器回路は、ランプの通常動作中、エネルギー蓄積素子が、切換装置を閉じるために必要とされる電圧以下の電圧まで充電されるように構成され、電子安定器からの電気的アーク発生の条件下において、エネルギー蓄積素子は、少なくとも切換装置を閉じ、動作不可能端子を起動するために必要とされる電圧と同程度に高い電圧まで充電されることを特徴とする、アーク検出を備えたランプ用電子安定器回路。
【請求項２】
前記動作不可能端子は、スイッチングトランジスタ動作不可能化ダイオードを介して、スイッチングトランジスタのうち少なくとも１つのゲートに接続されている、請求項１記載の電子安定器回路。
【請求項３】
ＤＣ／ＡＣインバータは、インバータ制御回路を有しており、動作不可能端子は、インバータ制御回路動作不可能化ダイオードを介して該インバータ制御回路に接続されている、請求項１記載の電子安定器回路。
【請求項４】
電子安定器回路は、電力係数補正素子を有しており、動作不可能端子は、ＰＦＣ動作不可能化ダイオードを介して該電力係数補正素子に接続されている、請求項１記載の電子安定器回路。
【請求項５】
低域通過信号フィルタは、ろ波抵抗器及びろ波コンデンサを有する、請求項１記載の電子安定器回路。
【請求項６】
整流器は、少なくとも１つのダイオードを有する、請求項１記載の電子安定器回路。
【請求項７】
整流器は、前記ろ波コンデンサと平行に接続された第１の整流ダイオードを有する、請求項６記載の電子安定器回路。
【請求項８】
整流器は、エネルギー蓄積素子と電気的に接続された第２の整流ダイオードを有する、請求項７記載の電子安定器回路。
【請求項９】
第１の整流ダイオードはツェナダイオードである、請求項８記載の電子安定器回路。
【請求項１０】
エネルギー蓄積素子は蓄積コンデンサである、請求項１記載の電子安定器回路。
【請求項１１】
切換装置は、出力ノードと接地との間に接続されたトランジスタを有する、請求項１記載の電子安定器回路。
【請求項１２】
エネルギー蓄積素子は、前記トランジスタの制御端子に接続されている、請求項１１記載の電子安定器回路。
【請求項１３】
スイッチング装置はＦＥＴであり、エネルギー蓄積素子は、該ＦＥＴのゲートに接続されたコンデンサである、請求項１２記載の電子安定器回路。
【請求項１４】
低域通過信号フィルタは、低周波阻止信号フィルタを有する低域通過ノッチ信号フィルタである、請求項１記載の電子安定器回路。
【請求項１５】
低周波阻止信号フィルタは、相互に平行に接続された低周波阻止抵抗器及び低周波阻止コンデンサを有する、請求項１４記載の電子安定器回路。
【請求項１６】
入力ノードと、
該入力ノードに電気的に接続された低域通過信号フィルタと、
該低域通過信号フィルタに電気的に接続された整流器と、
低域通過信号フィルタの整流された出力を受信するために電気的に接続されたエネルギー蓄積素子と、
エネルギー蓄積素子と、出力ノードとに電気的に接続された切換装置と、を有する電子ランプ安定器用アーク検出回路であって、
該アーク検出回路は、ランプの通常動作中、入力ノードが電子ランプ安定器のＡＣ出力電圧に接続されている場合、エネルギー蓄積素子が、切換装置を閉じるために必要とされる電圧以下の電圧まで充電されるように構成され、電子安定器からの電気的アーク発生の条件下において、エネルギー蓄積素子は、少なくとも切換装置を閉じ、動作不可能端子を起動するために必要とされる電圧と同程度に高い電圧まで充電されることを特徴とする、電子ランプ安定器用アーク検出回路。
【請求項１７】
低域通過信号フィルタは、相互に直列に接続されたろ波抵抗器及びろ波コンデンサを有する、請求項１６記載のアーク検出回路。
【請求項１８】
整流器は、少なくとも１つのダイオードを有する、請求項１６記載のアーク検出回路。
【請求項１９】
整流器は、前記ろ波コンデンサと平行に接続された第１の整流ダイオードを有する、請求項１８記載のアーク検出回路。
【請求項２０】
整流器は、エネルギー蓄積素子と直列に配置された第２の整流ダイオードを有しており、該第２の整流ダイオード及びエネルギー蓄積素子は、共にろ波コンデンサに並列に接続されている、請求項１９記載のアーク検出回路。
【請求項２１】
第１の整流ダイオードはツェナダイオードである、請求項２０記載のアーク検出回路。
【請求項２２】
エネルギー蓄積素子は蓄積コンデンサである、請求項１６記載のアーク検出回路。
【請求項２３】
切換装置は、出力ノードと接地との間に接続されたトランジスタを有する、請求項１６記載のアーク検出回路。
【請求項２４】
エネルギー蓄積素子は、前記トランジスタの制御端子に接続されている、請求項２３記載のアーク検出回路。
【請求項２５】
切換装置はＦＥＴであり、エネルギー蓄積素子は、該ＦＥＴのゲートに接続されたコンデンサである、請求項２４記載のアーク検出回路。
【請求項２６】
低域通過信号フィルタは、低周波阻止信号フィルタを有する低域通過ノッチ信号フィルタである、請求項１６記載のアーク検出回路。
【請求項２７】
低域通過信号フィルタは、相互に並列に接続された低周波阻止抵抗器及び低周波阻止コンデンサを有する、請求項２６記載のアーク検出回路。
【請求項２８】
安定器コネクタからの電気的アークを検出及び停止する方法であって、ランプは、安定器コネクタを介して共振インバータによって給電され、該共振インバータは、スイッチングトランジスタを制御し、インバータにおける直列共振タンクに対するＡＣ電圧を発生させるインバータ制御回路を含んでおり、前記方法は以下のステップからなる、すなわち、
ＡＣ電圧を、低域通過フィルタによってろ波し、少なくとも、インバータの通常動作と関連付けられている周波数構成要素と同じくらい高い交流構成要素を除去するステップと、
エネルギー蓄積素子を、低域通過フィルタの出力側から充電し、エネルギー蓄積素子が、以下の場合に閾値電圧より高い電圧まで充電される、すなわちインバータの通常動作と関連付けられた周波数構成要素より低いＡＣ出力電圧の周波数構成要素が存在する場合であるステップと、
エネルギー蓄積素子が閾値電圧に到達した場合、インバータを動作不可能にするステップと、である、安定器コネクタからの電気的アークを検出及び停止する方法。
【請求項２９】
動作不可能化ステップは、インバータ制御回路を動作不可能にするステップを含む、請求項２８記載の方法。
【請求項３０】
動作不可能化ステップは、スイッチングトランジスタのうち少なくとも１つを動作不可能とするステップを含む、請求項２８記載の方法。
【請求項３１】
インバータは、電力係数補正ユニットに接続されており、動作不可能化ステップは、該電力係数補正ユニットを動作不可能にするステップを含んでいる、請求項２８記載の方法。
【請求項３２】
低域通過フィルタへの交流入力電圧は、スイッチングトランジスタと、直列共振タンク回路との間のインバータの電気点から取り出される、請求項２８記載の方法。
【請求項３３】
交流電圧は、スイッチングトランジスタに電気的に接続された直流コンデンサと、直列共振タンク回路との間のインバータにおける電気点から取り出される、請求項３２記載の方法。
【請求項３４】
交流電圧は、直流コンデンサ及び直列共振タンク回路のインダクタの両方に接続されたインバータにおける電気点から取り出される、請求項３３記載の方法。
【請求項３５】
安定器コネクタからのアークを検出するための方法であって、ランプは、該安定器コネクタを介して共振インバータによって給電され、該共振インバータは、該共振インバータは、スイッチングトランジスタを制御し、インバータにおける直列共振タンクに対する交流電圧を発生させるインバータ制御回路を含んでおり、前記方法は以下のステップからなる、すなわち、
前記ろ波された信号を感知し、
低周波数構成要素以外の検知された交流電圧の構成要素を、ろ波によって取り出し、該低周波数構成要素は、ろ波された信号を発生させためのアークの整流周波数に対応しているステップと、
前記ろ波された信号を整流するステップと、
整流され、ろ波された信号のエネルギーを、複数の期間に亘って蓄積するステップと、
前記蓄積されたエネルギーに基づいて、アーク検出信号を発生させるステップと、である、安定器コネクタからのアークを検出するための方法。
【請求項３６】
交流電圧は、スイッチングトランジスタと、インバータにおける直列共振タンク回路との間のインバータにおける電気点から取り出される、請求項３５記載の方法。
【請求項３７】
交流電圧は、スイッチングトランジスタに電気的に接続された直流コンデンサと、直列共振タンク回路との間のインバータにおける電気点から取り出される、請求項３６記載の方法。
【請求項３８】
交流電圧は、直流コンデンサ及び直列共振タンク回路のインダクタの両方に接続されたインバータにおける電気点から取り出される、請求項３７記載の方法。
【発明の詳細な説明】
【０００１】
本発明は、高周波無電極蛍光ランプに給電するための電子安定器に関するものである。アーク放電は、給電中のランプの接続を断った場合、ランプコネクタに発生する。アーク放電は、安定器を破損させ、ランプを交換する者にとって危険である。また、アークの発生は、蛍光ランプの配線の接続不良またはコネクタからの縮れたワイヤの断線によって引き起こされる場合があり、火災の危険を生じさせることがある。
【０００２】
蛍光ランプは、高い動作周波数（２５０ｋＨｚまたはそれ以上）を有する電流源、例えば自励発振ＤＣ−ＡＣインバータから給電されているので、２つの分離した部分が、相互に１〜２インチまでの距離をおいて配置されているとしても、コネクタピン間またはコネクタピンとランプワイヤとの間において、安定したアーク路が確立される。高周波数においては、アークプラズマにおける粒子（電子及びイオン）の再結合時間は、ＡＣ周波数に匹敵する。零電流を通過した場合、粒子がガス分子状に再結合し、電流の流れを止め、アークを消去する時ではない。従って、アークの影響を受けやすいシャットダウン回路によって安定器インバータにおける発振を止めることによって、人工的に行われなければならない。
【０００３】
しかしながら、少数の公知の欠点が存在する。アークがコネクタに発生すると、バラスト高周波数電圧、及びアーク検出に使用することができるであろう電流においては、実際の変化はないのである。それは、アーク間の電圧降下は、ランプ定格電圧に関しては無視できるからである。さらに、通常のランプ動作中に安定器電圧及び電流の大幅な増加が生じ、これらの安定器電圧及び電流はまた、交流線路整流器によって引き起こされる、低周波数１００／１２０Ｈｚの定態変調の影響を受ける。誤った応答を避けるため、アーク検出回路は、通常のランプの動作中に生じる全てのこれらの外乱の影響を受けないようにすべきである。
【０００４】
従来技術によると、ランプへの電流を断つ時、安定器インバータを機械的に連動させることによって、ランプコネクタにおけるアークは消去される。あるＩＣＥ／ＥＮＤＵＲＡ無電極ランプにおいて、付加的なピンが、安定器インバータの、接続が断たれた構成要素に対するコネクタにおいて使用されており、該構成要素なしでは、インバータにおける発振は存在することができない。しかしながら、必要な３線コネクタは肉厚かつ高価であり、バラストから離れて配置されているランプに対しては適用不可能である。
【０００５】
その他の参考文献は、アークの検出用の異なる検知手段を開示しているが、該検知手段は、低周波数ＡＣ装置、例えば電気溶接機器に関連しているのみであり、高周波数安定器におけるアークには適用不可能である。さらに、このような装置の目的は、アークの安定である。それとは対照的に、安定器における本発明の目的は、アークを消去することである。
【０００６】
従って、保護方法及び高速アーク消去機能を備えた保護回路は、依然として必要である。この保護回路の他の特徴は、再接続されたランプを再始動させるためのリセット機能とすべきである。この保護回路はまた、安定器が、ランプ無しの状態で誤ってオン状態となった場合に必要とされる。
【０００７】
図１ａにおいて、上部のプロットは安定器出力電圧Ｖｏｕｔであり、下部のプロットは安定器出力電流Ｉｏｕｔであり、該安定器出力電流Ｉｏｕｔは、安定器がアーク保護を有していない場合、コネクタを介してランプに供給される。プロットの左側は、ランプがコネクタに接続された状態での、通常の安定器の動作を示しており、ランプは、コネクタから離れて移動を開始している。低電圧がギャップを無効化するのは、まさにアーク発生の開始時であり、コネクタピン間の該ギャップが非常に小さい場合である。素子であって、その間にアークが発生したものがさらに移動すると、電流波形が変化する。小さなステップは、零交差点において、アーク交流電流Ｉｏｕｔにおいて明白である。これは、プラズマ中の再結合プロセスを表している。しかしながら、それでも、ギャップ中のプラズマは、交流出力電圧によって両方向に分離し続けている。
【０００８】
ギャップがさらに増大すると、再結合過程が進行し、ギャップ中の空気とプラズマとの混合物は、１つの方向において分離することを停止する。これは、以下の間隔によって示されている、すなわち、該間隔において、高周波電流パルスは、一方向のみにランダムに追跡する。プラズマの異なるスポットにおける、粒子の濃度に依存して、前記混合物は１つの方向に分離可能であり、反対の方向において分離不可能である。これは、コネクタピンは陰極として、反対側のピンは陽極として機能し、逆もまた同様であることを意味している。従って、アークが生じると、安定器共振コンデンサは、１つの方向に余剰電流をランプに供給し、アークが生じない場合、コンデンサは、反対側で余剰電流を吸収する。従って、低周波構成要素が、出力安定器電圧Ｖｏｕｔにおいて発生する。
【０００９】
さらに、低周波発振は、以下の状態を発生させる、すなわち、比較的高い絶対ピーク電圧が一方向に印加されており、比較的低い絶対ピーク電圧が反対方向に印加されているのである。従って、空気／プラズマ混合物は、一方向に分離する傾向にある（整流効果）。低周波発振は、図５に示すように、相対的に安定状態となる。このシステムは、負性インピーダンスを有する発振器として分類されることができ、空気／プラズマ混合物は、この負性インピーダンスを表している。
【００１０】
図２のインバータにおいて、アーク整流による低周波振幅変調は、安定器におけるほとんど全ての電圧及び電流に影響を与える。しかしながら、これらの電圧及び電流は、アーク検出にとって不都合である。なぜなら、前記電圧及び電流もまた、通常のランプ動作中の共振によって影響を受けるからである。本発明によると、インバータ共振タンク入力電圧Ｖａｃ（図２参照）は、コネクタにおけるアークを検出するために使用される。なぜなら、この電圧は、アーク整流によって直接影響を受け、共振には影響されないからである。
【００１１】
アーク検出方法は、交流整流現象の検出に基づいており、この現象は、交流電流源から給電された場合の空気・プラズマ混合物におけるアーク放電を特徴づけている。前記方法は以下のステップからなる、すなわち、ランプを、動作中の安定器から接続を断った結果として、空気ギャップを介してアークを発生させるステップと、陽性安定器電圧パルス及び陰性安定器電圧パルスを、アークによって交互に整流するステップと、安定器出力電圧の低周波振幅変調を発生させるステップと、安定器インバータ共振タンクの入力電圧を検知するステップと、整流周波数に相当する電圧の低周波信号を決定するステップと、このような信号を、共振タンクに印加された、全てのその他の信号からろ波によって除去するステップと、除去された信号を整流するステップと、整流された信号のエネルギーを、その少数の周期の間保持するステップと、である。この結果として発生した信号は、安定器インバータを停止させ、アークを消去するために使用される。
【００１２】
図２に示す回路は、公知の安定器回路の素子を含んでおり、該安定器回路は、直流電流とランプコネクタとの間に接続されたＤＣ／ＡＣインバータを含んでいる。直流電源は、整流された交流電源、電池、またはその他のいかなる直流電源でもよい。
【００１３】
ＤＣ／ＡＣインバータは、共通線と直流電圧＋Ｖｂｕｓとの間に接続されたコンデンサＣ２５を含んでいる。また、＋Ｖｂｕｓと共通電圧との間には、スイッチングトランジスタＭ１及びＭ２が接続されている。Ｍ１及びＭ２のゲートは、それぞれ抵抗器Ｒ１６及びＲ１５を介して、インバータ制御回路の出力側に別個に接続されている。Ｍ１とＭ２との間の点は、直流コンデンサＣ１の第１端子に接続されている。直列共振タンク回路は、Ｃ１の第２端子と共通電圧との間に接続されている。
【００１４】
直列共振タンク回路は、誘電子Ｌ１及びコンデンサＣ３を含んでいる。ランプコネクタピンＰ６及びＰ８は、直列共振タンクコンデンサＣ３のそれぞれの端子に接続されている。フィードバック回路は、共振タンク回路におけるＬ１とＣ３との間の点と、インバータ制御回路の入力側との間に接続されている。
【００１５】
ＤＣ／ＡＣインバータのこれらの特徴事項は、公知技術である。
【００１６】
（図２に示された）本発明のアーク検出消去回路は、低域通過信号フィルタ回路と、整流器と、エネルギー蓄積回路と、閾値装置と、ラッチングスイッチング装置とを有しており、該低域通過信号フィルタ回路は、低周波電圧信号構成要素を選択するように設計されたインバータ共振タンクの入力側において、アーク整流周波数に相応する電圧Ｖａｃを検知し、該整流器は、この電圧信号を整流するためのフィルタ回路の出力側に接続されており、該エネルギー蓄積回路は、これらの信号のエネルギーを保持し、該閾値装置は、雑音を予防するためのものであり、該ラッチングスイッチング装置は、インバータ及びＰＦＣを、動作不可能端子によって、ダイオードＤ４７及びＤ４９を介してシャットダウンするためのものである。
【００１７】
図３に示す実施例において、自励発振インバータは、フィードバックトランスＴ９によって駆動されるスイッチングトランジスタＭ１及びＭ２、直流コンデンサＣ１、及び誘電子Ｌ１及びコンデンサＣ３を備えた直列共振タンクによって形成されている。無電極ランプは、共振コンデンサＣ３に、コネクタピンＰ６及びＰ８を介して並列に接続されている。インバータ始動回路は、放電コンデンサＣ１３、ダイオード交流スイッチＸ２８及び陽性バスレール＋Ｖｂｕｓに接続された抵抗器Ｒ６を有する。直流バス電圧は、ブースト型ＡＣ／ＤＣ変換器によって形成されている。この変換器は、ＰＦＣ制御器（図３には図示せず）によって駆動される、電力係数補正器（ＰＦＣ）とすることができる。アーク検出／シャットダウン回路は、低域通過信号フィルタ（Ｒ２５、Ｃ２７）、整流プロセスによってアーク中に生じた低周波信号の整流器（ダイオードＤ４４、Ｄ４５）、蓄積コンデンサＣ２８、放電抵抗器Ｒ２７及びスイッチングトランジスタＭ４を有する。
【００１８】
図４に示す高度のアーク検出／シャットダウン回路は、低域通過フィルタを有しており、該低域通過フィルタは、ＲＣ低域信号フィルタ（Ｒ３１、Ｃ２９）及び低周波数ブロック信号フィルタ（Ｒ３３、Ｃ３１）の直列結合として形成されている。この回路は入力端子Ａ及び出力動作不可能端子Ｂを有しており、これらは、図３において同一の符号で示す端子に対応する。ノッチフィルタは、アーク放電によって発生した低周波数を通過させるように調整される。
【００１９】
図３の安定器の通常動作中、高い搬送周波数矩形電圧Ｖａｃは、アーク検出回路の入力側Ａに印加される。この電圧は、低域通過フィルタＲ２５／Ｃ２７によって、ろ波して除去される。この結果、コンデンサＣ２７間の電圧はダイオード降下電圧を十分下回っており、トランジスタＭ４の入力側に影響を与えない。アークが発生し、低周波整流がアークにおいて開始されると、低周波振幅変調は、高周波電圧Ｖａｃに重なる。ＲＣフィルタＲ２５／Ｃ２７は、変調周波数に関して低い損失を有しており、この損失は、搬送周波数の損失より少ないものであり、通常ランプ動作と関連付けられている周波数が、ろ波によって除去される。例として、約２５０ｋＨｚの搬送周波数を有するＩＣＥＴＲＯＮ／ＥＮＤＵＲＡ無電極ランプの場合、アークコネクタにおける変調周波数は、８〜１０ｋＨｚの範囲内である。該アークコネクタは、フィルタによって減衰される、数十ボルトのピークピーク電圧を有する「Ａ」入力側において低周波信号を発生させる。
【００２０】
少なくとも数ボルトの低周波数信号が、ダイオードＤ４４の両端に印加される。図３の回路において、簡略化のため、信号の陽極波のみが、ダイオードＤ４４を介してコンデンサＣ２８を充電する。負極波は、ダイオードＤ４４によって短絡される。トランジスタＭ４のゲート間の電圧がトランジスタのターンオン閾値に達すると、トランジスタＭ４は、低周波数によって「オン」状態を開始する。これによって、さらなる外乱及びコンデンサＣ２８間の比較的高い電圧が、アーク検出回路の入力側「Ａ」に生じ、最終的には、トランジスタＭ１及びＭ２のスイッチングを停止させる。コンデンサＣ２８は、電圧を蓄積し、該電圧は、プラズマにおける電気粒子の再結合プロセスの間、トランジスタＭ４を「オン」状態に保っている。空気ギャップにおけるインピーダンスが低から高に変化した場合、直流バスから抵抗器Ｒ２４を介したラッチング信号は、アーク検出回路の入力側「Ａ」に適用される。
【００２１】
ダイオードＤ４４は、ツェナダイオードとして選択されることができ、該ツェナダイオードは、トランジスタＭ４のゲートを過電圧から保護している。ツェナダイオードは高い寄生キャパシタンスを有しているので、コンデンサＣ２９は省略することができる。シャットダウントランジスタＭ４は、動作不可能端子Ｂによって、ダイオードＤ４６及び制限抵抗器Ｒ３０を介してコンデンサＣ１３を短絡させ、安定器が、シャットダウン後にインバータを再始動させるのを防いでいる。また、前記シャットダウントランジスタＭ４は、ＰＦＣ制御器（図３には図示せず）を、ダイオードＤ４９を介して停止させ、リセット機能を実現する。ランプが再び接続された場合、該ランプは、アーク検出回路の入力側「Ａ」を「共通線」に接続し、コンデンサＣ２８は、抵抗器Ｒ２７を介して放電し、シャットダウントランジスタＭ４はオフ状態となり、ＰＦＣ制御器及び、ダイオードＡＣスイッチＸ２８を充電し、オン状態にするコンデンサＣ１３を解放する。
【００２２】
図４のアーク検出回路の動作方法は、図３のそれと類似している。比較すると、図４の入力フィルタは、インバータ始動中に発生した過渡電流に対して、及び交流電線から入来する１００／２００Ｈｚのリプルに対して、比較的大きい雑音免疫性を提供している。さらに、Ｒ３１及びＣ２９は、Ｒ２５及びＣ２７によって形成されたフィルタに対応しており、Ｄ５１及びＤ５０は、整流ダイオードＤ４４及びＤ４５に対応しており、Ｃ３０は記憶コンデンサＣ２８に対応しており、Ｒ３２は放電抵抗器Ｒ２７に対応しており、Ｍ５はシャットダウントランジスタＭ４に対応している。
【００２３】
図３のアーク検出／シャットダウン回路のさらなる有利な特徴は、安定器が、ランプと接続されていない状態で給電されている場合、安定器始動回路を連動させる機能である。この回路は、コンデンサＣ１３がダイアックＸ２８の閾値電圧まで充電される前に、該コンデンサＣ１３の始動を短縮する。
【００２４】
図３に示すようなＩＣＥＴＲＯＮ／ＥＮＤＵＲＡアーク検出／シャットダウン回路に対する、低コストの解決手段の例として、以下の構成素子を使用することができる。すなわち、Ｒ２４−１ＭΩ、Ｒ２５及びＲ２７−４７０ｋΩ、Ｃ２７−１ｎＦ、Ｃ２８−４７０ｐＦ、Ｄ４４−１Ｎ５２４８Ｂ、Ｄ４５、Ｄ４６及びＤ４９−１Ｎ４１４８、Ｄ４７−ＩＮ４００５ＧＰ、Ｍ４−ＩＲＦＤ０１４である。上記の構成素子を使用すると、図５に示すように、ランプと安定器との接続を断つことによって生じるアークを消去するためには、約５ｍｓｅｃ必要である。これによって、アークは不可視となり、危険ではなくなる。
【００２５】
前述の実施例は、説明的とすることを意図しており、制限的ではない。様々な相当な実施励、別の実施例及び変更形態は、付随する請求項の範囲内において可能である。
【図面の簡単な説明】
【図１ａ】
図１ａは、通常動作から、無電極ランプのプラグを取り外すことによって生じるアーク状態まで推移する、アーク電流及び安定抵抗出力電圧のプロットを示す図である。
【図１ｂ】
図１ｂは、アークにおける整流が開始された点における、図１ａのパラメータと同一のパラメータを示す図である。
【図２】
図２は、本発明によるアーク検出／消去回路を備えた、安定器回路図である。
【図３】
図３は、自励発振インバータ及びアーク消去回路を備えた安定器の回路図である。
【図４】
図４は、ノッチフィルタを備えたアーク検出／消去回路を示す。
【図５】
図５は、アーク消去回路を備えている安定器の、アーク電流プロット及び出力電圧プロットを示しており、該プロットは、無電極ランプの接続をはずした時に測定されたものである。
【符号の説明】
Ｄ４４、Ｄ４５、Ｄ４７、Ｄ４９　ダイオード、　Ｌ１　誘電子、　Ｍ１、Ｍ２　スイッチングトランジスタ
【図２】
2004504708.tif 000003
【図４】
2004504708.tif 000004
【国際公開パンフレット】
2004504708.tif 000005
2004504708.tif 000006
2004504708.tif 000007
2004504708.tif 000008
2004504708.tif 000009
2004504708.tif 000010
2004504708.tif 000011
2004504708.tif 000012
2004504708.tif 000013
2004504708.tif 000014
2004504708.tif 000015
2004504708.tif 000016
2004504708.tif 000017
2004504708.tif 000018
2004504708.tif 000019
2004504708.tif 000020
2004504708.tif 000021
2004504708.tif 000022
【国際調査報告】
2004504708.tif 000023